(57)【要約】【課題】測位モードの受信処理時の利便性を高めることができる衛星信号受信装置、電子時計、および衛星信号受信方法を提供すること。【解決手段】衛星信号受信装置は、位置情報衛星から送信される衛星信号を受信する受信装置１２２と、受信制御手段４１とを備える。受信制御手段４１は、受信装置１２２の受信モードを測時モードと測位モードとを含む複数の受信モードから選択して設定する受信モード設定部４１１と、衛星信号に含まれるうるう秒情報を取得するうるう秒受信処理を制御するうるう秒受信制御部４１４とを有する。受信制御手段４１は、受信モードが測位モードに設定されている場合は、うるう秒受信制御部４１４の動作を禁止する。【選択図】図３
2015169575.tif 000002
【特許請求の範囲】
【請求項１】
位置情報衛星から送信される衛星信号を受信する受信手段と、
前記受信手段を制御する受信制御手段と、を備え、
前記受信制御手段は、
前記受信手段の受信モードを、前記衛星信号に基づいて時刻情報を取得する測時モードと、前記衛星信号に基づいて位置情報を取得する測位モードとを含む複数の受信モードから選択して設定する受信モード設定部と、
前記衛星信号に含まれるうるう秒情報を取得するうるう秒受信処理を制御するうるう秒受信制御部とを有し、
前記受信モードが前記測位モードに設定されている場合は、前記うるう秒受信制御部の動作を禁止する
ことを特徴とする衛星信号受信装置。
【請求項２】
請求項１に記載の衛星信号受信装置において、
前記受信制御手段は、
前記受信モードが前記測時モードに設定され、かつ、うるう秒受信条件に該当する場合に、前記測時モードでの受信処理が行われると、前記うるう秒受信制御部を作動させてうるう秒情報の受信処理を行う
ことを特徴とする衛星信号受信装置。
【請求項３】
請求項１または請求項２に記載の衛星信号受信装置において、
前記受信制御手段は、
外部操作部材の操作によって、うるう秒の受信処理が指示された場合、前記うるう秒受信制御部を作動させてうるう秒情報の受信処理を実行する
ことを特徴とする衛星信号受信装置。
【請求項４】
請求項１から請求項３のいずれかに記載の衛星信号受信装置において、
受信状態を表示する受信状態表示手段を備え、
前記受信状態表示手段は、
前記うるう秒情報を受信中は、うるう秒情報を受信中であることを表示する
ことを特徴とする衛星信号受信装置。
【請求項５】
請求項１から請求項４のいずれかに記載の衛星信号受信装置において、
前記うるう秒情報を受信するために待機していることを表示するうるう秒待機状態表示手段を備え、
前記受信制御手段は、
前記うるう秒受信制御部が作動されてうるう秒情報の受信処理を行う場合、うるう秒情報の受信開始までの待ち時間をカウントダウン表示で表示する
ことを特徴とする衛星信号受信装置。
【請求項６】
請求項１から請求項５のいずれかに記載の衛星信号受信装置において、
前記受信制御手段は、
前記うるう秒受信制御部が作動されてうるう秒情報の受信処理を行っている時に、外部操作部材の操作によって受信処理の中断が指示された場合は、うるう秒情報の受信処理を継続する
ことを特徴とする衛星信号受信装置。
【請求項７】
請求項１から請求項５のいずれかに記載の衛星信号受信装置において、
前記受信制御手段は、
前記うるう秒受信制御部が作動されてうるう秒情報の受信処理を行っている時に、外部操作部材の操作によって受信処理の中断が指示された場合は、うるう秒情報の受信処理を中断する
ことを特徴とする衛星信号受信装置。
【請求項８】
請求項１から請求項７のいずれかに記載の衛星信号受信装置と、
時刻を計時する計時手段と、
前記計時手段に対して、前記衛星信号受信装置で取得した時刻情報を出力して前記計時手段の時刻を更新する時刻修正手段と、
前記計時手段で計時されている時刻を表示する時刻表示手段とを備える
ことを特徴とする電子時計。
【請求項９】
請求項８に記載の電子時計において、
前記時刻修正手段は、前記うるう秒情報の取得に成功した場合に、取得したうるう秒情報を用いて前記計時手段の時刻を更新する
ことを特徴とする電子時計。
【請求項１０】
請求項８または請求項９に記載の電子時計において、
前記時刻修正手段は、測位モードまたは測時モードで衛星信号を受信中に、うるう秒情報も取得できた場合は、取得したうるう秒情報による更新が必要かを判定し、更新が必要であると判定した場合には、取得したうるう秒情報を用いて前記計時手段の時刻を更新する
ことを特徴とする電子時計。
【請求項１１】
位置情報衛星から送信される衛星信号を受信する受信手段の受信モードを、前記衛星信号に基づいて時刻情報を取得する測時モードと、前記衛星信号に基づいて位置情報を取得する測位モードとを含む複数の受信モードから選択して設定し、
前記受信モードが前記測位モードに設定されている場合は、前記衛星信号に含まれるうるう秒情報を取得するうるう秒受信処理の実行を禁止する
ことを特徴とする衛星信号受信方法。
【発明の詳細な説明】
【技術分野】
【０００１】
本発明は、例えばＧＰＳ衛星等の位置情報衛星から送信される衛星信号を受信する衛星信号受信装置、電子時計、および衛星信号受信方法に関する。
【背景技術】
【０００２】
ＧＰＳ衛星等の位置情報衛星から送信される衛星信号を受信し、この衛星信号に含まれる時刻情報（ＧＰＳ時刻情報）で表示時刻を修正する電子時計が知られている。
ところで、ＧＰＳ衛星信号において時刻を示す情報であるＴＯＷ（Time of week）
は、うるう秒の修正分は含まれていない。このため、ＧＰＳ衛星信号には、現在のうるう秒を示す情報が含まれている。このうるう秒情報は、１２．５分毎に送信される。そこで、現在のうるう秒を示す情報をより確実に受信するため、現在の閏秒に関する情報の受信を試みることを示す、閏秒受信予告情報を表示する電波腕時計が知られている（特許文献１参照）。
【０００３】
前記特許文献１は、ＧＰＳ衛星信号を受信して時刻情報を取得する測時モードのみを備えている。これに対し、前記測時モードに加えて、ＧＰＳ衛星信号に基づいて位置情報を取得する測位モードを備える衛星信号受信装置を備えた電子時計が知られている（例えば、特許文献２参照）。
【先行技術文献】
【特許文献】
【０００４】
【特許文献１】特開２０１１−２０８９４７号公報
【特許文献２】特開２０１３−２１３８２８号公報
【発明の概要】
【発明が解決しようとする課題】
【０００５】
前記特許文献２のように、測時モードおよび測位モードを備えた衛星信号受信装置において、受信を行った後にうるう秒情報の受信待機状態を表示する場合、待ち時間は、最大で１２．５分（１８分の場合もある）必要になる。
このため、例えば、タイムゾーンが異なる海外に移動し、測位モードで受信処理を行い、うるう秒情報の受信待機状態になった場合には、待機状態の表示が数分から十数分継続して現地時刻を表示しないため、ユーザーは現地時刻を即座に確認できないという問題がある。
【０００６】
この場合、特許文献１のように、手動操作で一時的に時刻表示を行うことも考えられるが、時刻表示のために操作が必要となり、煩雑である。
また、測位モードでの受信処理の時間に加えて、うるう秒情報の受信処理が完了するまでは、衛星信号受信装置を受信しやすい場所に静止状態で配置するなどの対応が必要となるため、ユーザーは即座に電子時計を利用できないという問題がある。
したがって、特に測位モードでの受信処理時の利便性を高めることができる衛星信号受信装置が求められていた。
【０００７】
本発明の目的は、測位モードの受信処理時の利便性を高めることができる衛星信号受信装置、電子時計、および衛星信号受信方法を提供することにある。
【課題を解決するための手段】
【０００８】
本発明の衛星信号受信装置は、位置情報衛星から送信される衛星信号を受信する受信手段と、前記受信手段を制御する受信制御手段と、を備え、前記受信制御手段は、前記受信手段の受信モードを、前記衛星信号に基づいて時刻情報を取得する測時モードと、前記衛星信号に基づいて位置情報を取得する測位モードとを含む複数の受信モードから選択して設定する受信モード設定部と、前記衛星信号に含まれるうるう秒情報を取得するうるう秒受信処理を制御するうるう秒受信制御部とを有し、前記受信モードが前記測位モードに設定されている場合は、前記うるう秒受信制御部の動作を禁止することを特徴とする。
【０００９】
受信制御手段の受信モード設定部は、少なくとも測時モードと測位モードを含む複数の受信モードから受信モードを選択して設定する。受信制御手段は、設定された受信モードに基づき受信処理を行う。
受信制御手段は、受信モードが測位モードに設定された場合は、うるう秒受信制御部の動作を禁止する。このため、測位モードでの受信処理時に、うるう秒受信制御部が動作してうるう秒情報の受信待機状態になることが禁止される。このため、測位モードでの受信処理後に、引き続きうるう秒情報の受信処理を行うことがなくなり、うるう秒情報の受信待機状態になることも防止できる。したがって、測位モードでの受信処理後に、現地時刻を即座に表示でき、ユーザーの利便性を向上できる。
【００１０】
本発明の衛星信号受信装置において、前記受信制御手段は、前記受信モードが前記測時モードに設定され、かつ、うるう秒受信条件に該当する場合に、前記測時モードでの受信処理が行われると、前記うるう秒受信制御部を作動させてうるう秒情報の受信処理を行うことが好ましい。
【００１１】
ここで、うるう秒受信条件に該当する場合とは、システムリセットを行った場合のように、うるう秒を記憶する記憶部にうるう秒情報が記憶されていない場合と、半年毎に設定されたうるう秒受信期間（例えば、６月１日〜３０日、１２月１日〜３１日）であり、かつ、その期間でのうるう秒情報の受信に成功していない場合である。
本発明によれば、受信制御手段は、測時モードでの受信処理を、ユーザーの手動操作で指示された場合や、自動受信条件に該当する場合に行う。この際、うるう秒受信条件に該当する場合、受信制御手段は、うるう秒受信制御部を作動させてうるう秒の受信処理を行う。したがって、うるう秒受信条件に該当する場合には、測時モードでの受信処理時に自動的にうるう秒情報の受信処理も行われる。このため、ユーザーがうるう秒情報の受信を指示する必要が無く、利便性を向上できる。また、うるう秒情報を受信することで、うるう秒情報を反映した正確な時刻を表示できる。
【００１２】
本発明の衛星信号受信装置において、前記受信制御手段は、外部操作部材の操作によって、うるう秒の受信処理が指示された場合、前記うるう秒受信制御部を作動させてうるう秒情報の受信処理を実行することが好ましい。
【００１３】
ここで、外部操作手段として、例えば、衛星信号受信装置が設けられた電子時計であれば、リューズや各種ボタンが例示できる。
本発明では、ユーザーなどが操作可能な外部操作部材の操作により、うるう秒受信制御部を作動させてうるう秒情報の受信処理を実行できるので、ユーザーが希望するタイミングでうるう秒情報を受信できる。このため、うるう秒情報の取得に適した環境で受信処理を行うことができ、うるう秒情報の取得に成功する確率を向上できる。
【００１４】
本発明の衛星信号受信装置において、受信状態を表示する受信状態表示手段を備え、前記受信状態表示手段は、前記うるう秒情報を受信中は、うるう秒情報を受信中であることを表示することが好ましい。
【００１５】
受信状態表示手段でうるう秒情報を受信中であることを表示すれば、ユーザーは受信状態を容易に把握できる。このため、衛星信号受信装置をうるう秒情報の受信に適した環境に配置することができ、うるう秒情報の取得に成功する確率を向上できる。
【００１６】
本発明の衛星信号受信装置において、前記うるう秒情報を受信するために待機していることを表示するうるう秒待機状態表示手段を備え、前記受信制御手段は、前記うるう秒受信制御部が作動されてうるう秒情報の受信処理を行う場合、うるう秒情報の受信開始までの待ち時間をカウントダウン表示で表示することが好ましい。
【００１７】
本発明によれば、うるう秒情報の受信開始までの残り時間をカウントダウン表示で表示しているので、ユーザーはうるう秒情報の受信が開始される時間を容易に把握できる。このため、ユーザーはうるう秒情報の受信タイミングに合わせて、屋外で空が開けている衛星信号を受信しやすい場所に移動することもでき、うるう秒情報の受信に成功する確率を向上できる。
【００１８】
本発明の衛星信号受信装置において、前記受信制御手段は、前記うるう秒受信制御部が作動されてうるう秒情報の受信処理を行っている時に、外部操作部材の操作によって受信処理の中断が指示された場合は、うるう秒情報の受信処理を継続することが好ましい。
【００１９】
本発明によれば、うるう秒受信制御部によるうるう秒情報の受信処理が行われて、うるう秒情報の受信待機中、あるいは、うるう秒情報の受信中に、ユーザーなどが操作可能な外部操作部材の操作により受信処理の中断が指示されても、うるう秒情報の受信処理を継続する。このため、ユーザーが誤って中断指示を行った場合でも、受信処理を継続でき、うるう秒情報を確実に受信できる。
【００２０】
本発明の衛星信号受信装置において、前記受信制御手段は、前記うるう秒受信制御部が作動されてうるう秒情報の受信処理を行っている時に、外部操作部材の操作によって受信処理の中断が指示された場合は、うるう秒情報の受信処理を中断することが好ましい。
【００２１】
本発明によれば、うるう秒情報の受信中であっても、ユーザーの受信中断指示を優先することができる。このため、ユーザーが意図しない動作が行われることがなく、操作性を向上できる。
【００２２】
本発明の電子時計は、前記衛星信号受信装置と、時刻を計時する計時手段と、前記計時手段に対して、前記衛星信号受信装置で取得した時刻情報を出力して前記計時手段の時刻を更新する時刻修正手段と、前記計時手段で計時されている時刻を表示する時刻表示手段とを備えることを特徴とする。
【００２３】
本発明の電子時計によれば、前記衛星信号受信装置を備えているので、測位モードでの受信処理時に、うるう秒情報の受信処理を行うことがなくなるため、測位モードでの受信処理後に、現地時刻を即座に表示でき、ユーザーの利便性を向上できる。
【００２４】
本発明の電子時計において、前記時刻修正手段は、前記うるう秒情報の取得に成功した場合に、取得したうるう秒情報を用いて前記計時手段の時刻を更新することが好ましい。
【００２５】
本発明の電子時計によれば、うるう秒情報の取得に成功した場合に、うるう秒情報を用いて計時手段の時刻を更新するため、高精度の時刻表示を行うことができる。
【００２６】
本発明の電子時計において、前記時刻修正手段は、測位モードまたは測時モードで衛星信号を受信中に、うるう秒情報も取得できた場合は、取得したうるう秒情報による更新が必要かを判定し、更新が必要であると判定した場合には、取得したうるう秒情報を用いて前記計時手段の時刻を更新することが好ましい。
【００２７】
測位モードや測時モードで衛星信号を受信するタイミングが、うるう秒情報を含むサブフレーム４、ページ１８の送信タイミングであり、うるう秒情報を受信できた場合、本発明では、取得したうるう秒情報で更新が必要であると判定すると、取得したうるう秒情報で計時手段の時刻を更新できる。このため、うるう秒受信制御部によるうるう秒情報受信処理を行わずに、正確な時刻に更新できる。
【００２８】
本発明の衛星信号受信方法は、位置情報衛星から送信される衛星信号を受信する受信手段の受信モードを、前記衛星信号に基づいて時刻情報を取得する測時モードと、前記衛星信号に基づいて位置情報を取得する測位モードとを含む複数の受信モードから選択して設定し、前記受信モードが前記測位モードに設定されている場合は、前記衛星信号に含まれるうるう秒情報を取得するうるう秒受信処理の実行を禁止することを特徴とする。
【００２９】
本発明によれば、測位モードでの受信処理時に、うるう秒情報の受信処理を行うことがなくなるため、測位モードでの受信処理後に、現地時刻を即座に表示でき、ユーザーの利便性を向上できる。
【図面の簡単な説明】
【００３０】
【図１】本発明の第１実施形態に係る電子時計の正面図である。
【図２】第１実施形態の電子時計の概略断面図である。
【図３】第１実施形態の電子時計の構成を示すブロック図である。
【図４】第１実施形態の電子時計の記憶装置の構成を示すブロック図である。
【図５】航法メッセージの構成について説明する図である。
【図６】第１実施形態の電子時計の受信処理手順を示すフローチャートである。
【図７】第１実施形態の電子時計の測時モード受信処理手順を示すフローチャートである。
【図８】第１実施形態の電子時計の測位モード受信処理手順を示すフローチャートである。
【図９】ＧＰＳ衛星信号におけるうるう秒情報が送信されるタイミングを示す図である。
【図１０】測時モード受信処理中のインジケーター針の状態を示す図である。
【図１１】測位モード受信処理中のインジケーター針の状態を示す図である。
【図１２】うるう秒情報受信処理中のインジケーター針の状態を示す図である。
【図１３】第２実施形態の電子時計の測時モード受信処理手順を示すフローチャートである。
【図１４】第３実施形態の電子時計の受信処理手順を示すフローチャートである。
【図１５】第３実施形態のうるう秒情報受信処理を示すフローチャートである。
【図１６】変形例の測位モード受信処理手順を示すフローチャートである。
【発明を実施するための形態】
【００３１】
以下、本発明の具体的な実施形態を図面に基づいて説明する。
図１は、本発明の第１実施形態に係る電子時計１の正面図であり、図２は電子時計１の概略断面図である。
図１に示すように、電子時計１は、地球の上空を所定の軌道で周回している複数のＧＰＳ衛星等の位置情報衛星１００（以下、ＧＰＳ衛星１００と称する場合がある）のうち、少なくとも１つの位置情報衛星１００からの衛星信号を受信して時刻情報を取得し、少なくとも３つの位置情報衛星１００からの衛星信号を受信して位置情報を算出するように構成されている。
【００３２】
［電子時計］
電子時計１は、使用者の手首に装着される腕時計であり、時刻等を表示する表示装置１０と、外部操作部材である入力装置７０とを備える。
【００３３】
［電子時計の構造］
電子時計１は、外装ケース３０を備えている。外装ケース３０は、金属で形成された円筒状のケース３１に、セラミックで形成されたベゼル３２が嵌合されて構成されている。外装ケース３０の二つの開口のうち、表面側の開口は、ベゼル３２を介してカバーガラス３３で塞がれており、裏面側の開口は金属で形成された裏蓋３４で塞がれている。
外装ケース３０の内側には、ベゼル３２の内周に取り付けられているダイヤルリング１１１と、光透過性の文字板１１と、文字板１１を貫通した指針軸２７と、指針軸２７に取り付けられた指針２１，２２，２３と、インジケーター針２４と、指針２５，２６と、各指針２１，２２，２３およびインジケーター針２４、指針２５、２６を駆動する駆動機構１４０などが備えられている。
指針軸２７は、外装ケース３０の平面視中心を通り、表裏方向に延在する中心軸に沿って設けられている。
【００３４】
［表示装置］
表示装置１０は、文字板１１、指針２１，２２，２３、インジケーター針２４、指針２５，２６を備える。
文字板１１の大部分は、光および１．５ＧＨｚ帯のマイクロ波が透過し易い非金属の材料（例えば、プラスチックまたはガラス）で形成されている。
文字板１１は、前記インジケーター針２４に対応する目盛１１２と、指針２５，２６に対応するサブダイヤル１１３とを備える。
【００３５】
［基本時計］
指針２１，２２，２３は、文字板１１の表面側に設けられている。指針２１は秒針であり、指針２２は分針であり、指針２３は時針である。ダイヤルリング１１１には、指針２１，２２，２３によって時刻を指示する目盛（インデックス）が設けられている。
このため、指針２１，２２，２３および文字板１１、ダイヤルリング１１１は、時刻を表示する基本時計を構成する。基本時計は、主に現在地の時刻を表示する。例えば、電子時計１がホノルルで利用されている場合には、ホノルルの現地時刻（ローカルタイム）を表示する。したがって、指針２１，２２，２３によって時刻表示手段が構成される。
【００３６】
［インジケーター表示］
インジケーター針２４は、文字板１１の表面側の１０時方向に設けられ、目盛１１２の各位置を指し示すことで各種情報を指示する。
目盛１１２に記載された「ＤＳＴ（daylight saving time）」は夏時間を意味する。リューズ７１やボタン７２等の入力装置７０を操作して、インジケーター針２４を「ＤＳＴ」の「ＯＮ」または「ＯＦＦ」に合わせることで、電子時計１に夏時間のＯＮ／ＯＦＦを設定することができる。
目盛１１２に記載された飛行機形状の記号は、機内モードを表す。入力装置７０を操作して、インジケーター針２４を飛行機形状の記号に合わせて機内モードを選択することで、電子時計１の衛星信号の受信を停止させることができる。
【００３７】
目盛１１２に記載された「Ｅ」と「Ｆ」は、電池残量を示す。
目盛１１２に記載された「１」と「４＋」は受信モードを示す。時刻情報を取得する測時モード（測時受信処理）の際は、インジケーター針２４は、「１」を指し示し、位置情報を取得する測位モード（測位受信処理）の際は、インジケーター針２４は、目盛１１２の「４＋」を指し示す。これにより、ユーザーは、電子時計１が測位モードにあるのか測時モードにあるのかを目盛１１２を見ることで認識できる。
【００３８】
［小時計］
指針２５，２６は、文字板１１の表面側の６時方向に設けられている。指針２５は分針であり、指針２６は時針である。サブダイヤル１１３には、指針２５，２６によって時刻を指示する２４時間表示の目盛が設けられている。
このため、指針２５，２６およびサブダイヤル１１３は、時刻を表示する小時計を構成する。小時計は、主に予め設定したホームタイム（例えば日本の時刻）を表示する。
【００３９】
［ダイヤルリング］
文字板１１の周囲には、ダイヤルリング１１１が配置されている。ダイヤルリング１１１は、外周端が、ベゼル３２の内周面に接触しているとともに、一面がカバーガラス３３と並行している平板部分と、内周端が文字板１１に接触するように、文字板１１側へ傾斜した傾斜部分を備えている。ダイヤルリング１１１は、平面視においてはリング形状となっており、断面視においてはすり鉢形状となっている。ダイヤルリング１１１の平板部分と、傾斜部分と、ベゼル３２の内周面とによりドーナツ形状の収納空間が形成されており、この収納空間内には、リング状のアンテナ体１１０が収納されている。
ダイヤルリング１１１には、指針２１，２２，２３によって時刻を指示する目盛（インデックス）と、タイムゾーンの時差を示す数字およびタイムゾーンの都市名を示す略語が表示されている。
【００４０】
［入力装置］
本発明の外部操作手段としての入力装置７０は、リューズ７１と、３つのボタン７２、７３、７４を備える。入力装置７０を操作すると、その手動操作に応じた処理が実行される。
具体的には、リューズ７１を１段引くと、現在設定されているタイムゾーンが指針２１（秒針）で表示される。現在設定されているタイムゾーンを変更したい場合は、この状態で、リューズ７１を右回転させると、指針２１が時計回りに移動し、「＋１」加算されたタイムゾーンが順次選択される。一方、この状態でリューズ７１を左回転させると、「−１」減算されたタイムゾーンが選択される。そして、リューズ７１を押し込むことで、選択されたタイムゾーンが確定する。
すなわち、リューズ７１を回転させることで、指針２１（秒針）も連動して移動し、指針２１をダイヤルリング１１１に表示されたタイムゾーンの時差や都市名に合わせることで、タイムゾーンを手動で選択できる。
また、リューズ７１を２段引いた状態で回転させると、指針２１，２２，２３を移動させることができ、現在時刻表示を手動修正可能な状態となる。
【００４１】
ボタン７２を押すと、各種操作モードのキャンセルや、受信処理の中止など、状況に応じた処理が実行される。
ボタン７３を第１設定時間（例えば３秒以上、６秒未満）押して離すと、測時モードでの手動受信処理（強制受信処理）が実行される。受信処理中、インジケーター針２４は、測時モードを示す「１」を指示する。
また、ボタン７３を第１設定時間よりも長い第２設定時間（例えば６秒以上）押して離すと、測位モードでの手動受信処理（強制受信処理）が実行される。受信処理中、インジケーター針２４は、測位モードを示す「４＋」を指示する。
【００４２】
さらに、ボタン７３を第１設定時間よりも短い短時間（例えば３秒未満）押して離すと、前回の受信処理の結果を表示する結果表示処理が行われる。すなわち、最も直近に受信したモードは、インジケーター針２４が「１」または「４＋」を指すことで示す。また、受信結果は、指針２１が「Ｙ」（受信成功）、または、「Ｎ」（受信失敗）を指すことで示す。なお、本実施形態では、「Ｙ」は１２秒位置、「Ｎ」は１８秒位置に設定されている。
各ボタン７２、７３、７４を押した際に実行される処理は、上記のものに限定されず、電子時計１の機能に応じて適宜設定すればよい。
【００４３】
［ソーラーパネル］
文字板１１と、駆動機構１４０が取り付けられている地板１２５との間には、光発電を行うソーラーパネル１３５が備えられている。ソーラーパネル１３５は、光エネルギーを電気エネルギー（電力）に変換する複数のソーラーセル（光発電素子）を直列接続した円形の平板である。また、ソーラーパネル１３５は、太陽光の検出機能も有している。文字板１１、ソーラーパネル１３５および地板１２５には、指針軸２７が貫通する穴が形成されているとともに、カレンダー小窓１５の開口部が形成されている。
【００４４】
［駆動機構］
駆動機構１４０は、地板１２５に取り付けられ、回路基板１２０で裏面側から覆われている。駆動機構１４０は、指針２１（秒針）を駆動するステップモーターと、指針２２（分針）および指針２３（時針）を駆動するステップモーターと、インジケーター針２４を駆動するステップモーターと、指針２５，２６を駆動するステップモーターとを備える。さらに、電子時計１は、カレンダー小窓１５で日付を表示する日車を備えているので、日車を駆動するためのステップモーターも備える。
【００４５】
［回路基板］
回路基板１２０は、充電回路８０、記憶装置６０、本発明の受信手段としての受信装置（受信モジュール）１２２、および制御装置４０を備えている。また、回路基板１２０の受信装置１２２が設けられた側には、リチウムイオン電池などの二次電池１３０が配置されている。充電回路８０は、ソーラーパネル１３５が発電した電力を二次電池１３０に充電する。また、この回路基板１２０とアンテナ体１１０とは、アンテナ接続ピン１１５を用い接続されている。
【００４６】
［アンテナ体］
アンテナ体１１０は、リング形状の誘電体を基材として、これに金属のアンテナパターンをメッキや銀ペースト印刷などにより形成したものである。このアンテナ体１１０は、文字板１１の外周に配置されており、ベゼル３２の内周面側に配置され、さらにプラスチックで形成されたダイヤルリング１１１、およびカバーガラス３３で覆われているため、良好な受信を確保することが可能となっている。誘電体としては、酸化チタンなどの高周波で使える誘電材料を樹脂に混ぜて成形することができ、これにより誘電体の波長短縮と相俟ってアンテナをより小型化できる。
【００４７】
アンテナ体１１０は、給電点を通じて給電され、この給電点には、アンテナ体１１０の裏面側に配置されたアンテナ接続ピン１１５が接続されている。アンテナ接続ピン１１５は金属で形成されたピン状のコネクターであり、回路基板１２０に突設されて、地板１２５に開口された挿通孔を貫通されて収納空間内へ挿通されている。これにより、回路基板１２０と、収納空間内部のアンテナ体１１０とが、アンテナ接続ピン１１５で接続されている。
【００４８】
［電子時計の回路構成］
図３は、電子時計１の回路構成を示すブロック図である。電子時計１は、受信装置１２２、制御装置４０、計時装置５０（計時手段）、記憶装置６０（記憶手段）、入力装置７０（外部操作手段）を備えている。制御装置４０は、受信制御手段４１、時刻修正手段４２を備えている。受信制御手段４１は、受信モード設定部４１１、測時モード受信部４１２、測位モード受信部４１３、うるう秒受信制御部４１４を備えている。
【００４９】
［受信装置］
受信装置１２２は、二次電池１３０に蓄積された電力で駆動される負荷であり、制御装置４０によって駆動されると、アンテナ体１１０を通じてＧＰＳ衛星１００から送信される衛星信号を受信する。そして、受信装置１２２は、衛星信号の受信に成功した場合には、取得した軌道情報やＧＰＳ時刻情報などの情報を制御装置４０へ送信する。一方、衛星信号の受信に失敗した場合には、受信装置１２２は、その旨の情報を制御装置４０へ送信する。なお、受信装置１２２の構成は、公知のＧＰＳ受信回路の構成と同様であるため、その説明を省略する。
【００５０】
［計時装置］
計時装置５０は、二次電池１３０に蓄積された電力で駆動される水晶振動子等を備え、水晶振動子の発振信号に基づく基準信号を用いて時刻データを更新する。
【００５１】
［記憶装置］
記憶装置６０は、図４に示すように、時刻データ記憶部６００と、タイムゾーンデータ記憶部６８０と、定時受信時刻記憶部６９０とを備えている。
時刻データ記憶部６００には、受信時刻データ６１０と、うるう秒更新データ６２０と、内部時刻データ６３０と、時計表示用時刻データ６４０と、タイムゾーンデータ６５０とが記憶される。
受信時刻データ６１０には、衛星信号から取得した時刻情報（ＧＰＳ時刻）が記憶される。この受信時刻データ６１０は、通常は計時装置５０によって１秒毎に更新され、衛星信号を受信した際には、取得した時刻情報（ＧＰＳ時刻）によって修正される。
うるう秒更新データ６２０には、少なくとも現在のうるう秒のデータが記憶される。すなわち、衛星信号のサブフレーム４、ページ１８には、うるう秒に関するデータとして、「現在のうるう秒」、「うるう秒の更新週」、「うるう秒の更新日」、「更新後のうるう秒」の各データが含まれる。このうち、本実施形態では、少なくとも「現在のうるう秒」のデータを、うるう秒更新データ６２０に記憶している。
【００５２】
内部時刻データ６３０には、内部時刻情報が記憶される。この内部時刻情報は、受信時刻データ６１０に記憶されたＧＰＳ時刻と、うるう秒更新データ６２０に記憶している「現在のうるう秒」とによって更新される。すなわち、内部時刻データ６３０には、ＵＴＣ（協定世界時）が記憶されることになる。受信時刻データ６１０が前記計時装置５０で更新される際に、この内部時刻情報も更新される。
【００５３】
時計表示用時刻データ６４０には、前記内部時刻データ６３０の内部時刻情報に、タイムゾーンデータ６５０のタイムゾーンデータ（時差情報）を加味した時刻データが記憶される。タイムゾーンデータ６５０は、ユーザーが手動で選択することにより設定される場合や測位モードで受信した場合に得られる位置情報で設定される。
【００５４】
タイムゾーンデータ記憶部６８０は、位置情報（緯度、経度）とタイムゾーン（時差情報）とを関連付けて記憶している。このため、測位モードで位置情報を取得した場合、制御装置４０は、その位置情報（緯度、経度）に基づいてタイムゾーンデータを取得できるようにされている。
【００５５】
なお、タイムゾーンデータ記憶部６８０には、さらに、都市名とタイムゾーンデータとを関連付けて記憶されている。したがって、前述のとおり、リューズ７１等の入力装置７０の操作によって、利用者が現地時刻を知りたい都市名を選択すると、制御装置４０は、タイムゾーンデータ記憶部６８０に対して利用者が設定した都市名を検索し、その都市名に対応するタイムゾーンデータを取得してタイムゾーンデータ６５０に設定する。
【００５６】
定時受信時刻記憶部６９０には、測時モード受信部４１２による定時受信処理（定時の測時モードの受信処理）を実行する定時受信時刻が記憶される。この定時受信時刻は、前回、ボタン７３を操作して強制受信に成功した時刻が記憶される。
【００５７】
なお、記憶装置６０には、位置情報衛星の軌道情報（アルマナック、エフェメリス）は記憶されていない。電子時計１は、腕時計であり、記憶装置６０の容量にも制約があり、また、二次電池１３０の容量にも制約があって軌道情報を取得するための長時間の受信を行うことが難しいためである。したがって、電子時計１の受信処理は、軌道情報を有していないコールドスタート状態で行われる。
【００５８】
［制御装置］
制御装置４０は、電子時計１を制御するＣＰＵで構成されている。制御装置４０は、受信装置１２２を制御して受信処理を実行する受信制御手段４１を備える。受信制御手段４１は、受信モード設定部４１１、測時モード受信部４１２、測位モード受信部４１３、うるう秒受信制御部４１４を備える。また、制御装置４０は、受信装置１２２で受信した衛星信号に含まれる時刻情報を取得し、この時刻情報によって前記受信時刻データ６１０で計時している時刻を修正する時刻修正手段４２を備える。
【００５９】
［受信モード設定部］
受信モード設定部４１１は、受信装置１２２による衛星信号の受信モードを、測時モードまたは測位モードから選択して設定する。具体的には、後述するように、ボタン７３の押された時間で受信モードを設定する。
【００６０】
［測時モード受信部］
測時モード受信部４１２は、自動受信処理で作動される場合と、手動受信処理で作動される場合とがある。
自動受信処理は、定時受信時刻記憶部６９０に設定された定時受信時刻になった場合と、ソーラーパネル１３５の発電電圧または発電電流が設定値以上となった場合に、受信装置１２２を作動して測時モードでの受信処理を行う。
すなわち、測時モード受信部４１２は、計時時刻、具体的には内部時刻データ６３０が、定時受信時刻記憶部６９０に記憶された定時受信時刻になった際に、受信装置１２２を作動する。これを定時受信処理という。
また、測時モード受信部４１２は、ソーラーパネル１３５の発電電圧または発電電流が設定値以上となり、屋外においてソーラーパネル１３５に日光が照射していると判断できる場合に、受信装置１２２を作動する。なお、ソーラーパネル１３５の発電状態で受信装置１２２を作動する処理の回数は、１日に１回などに制約してもよい。
一方、ユーザーが入力装置７０のボタン７３を第１設定時間（３秒以上、６秒未満）だけ押して離した場合は、測時モード受信部４１２は手動受信処理で作動される。
【００６１】
測時モード受信部４１２は、受信装置１２２で少なくとも１つのＧＰＳ衛星１００を捕捉し、そのＧＰＳ衛星１００から送信される衛星信号を受信して時刻情報を取得する。そして、時刻修正手段４２は、時刻情報の取得に成功した場合、取得した時刻情報で受信時刻データ６１０を修正する。
【００６２】
［測位モード受信部］
測位モード受信部４１３は、ユーザーが入力装置７０のボタン７３を第２設定時間（６秒以上）押して離した場合に、受信装置１２２を作動して受信処理を行う。
測位モード受信部４１３は、測位モードでの受信処理を行うため、受信装置１２２で少なくとも３個、好ましくは４個以上のＧＰＳ衛星１００を捕捉し、各ＧＰＳ衛星１００から送信される衛星信号を受信して時刻情報を取得し、さらに位置情報を算出して取得する。そして、制御装置４０は、位置情報の取得に成功した場合、取得した位置情報（緯度、経度）に基づいてタイムゾーンデータ記憶部６８０からタイムゾーンデータ（時差情報）を取得し、タイムゾーンデータ６５０に記憶する。
例えば、日本標準時（ＪＳＴ）は、ＵＴＣに対して９時間進めた時刻（ＵＴＣ＋９）であるため、測位モードで取得した位置情報が日本である場合には、制御装置４０は、タイムゾーンデータ記憶部６８０から日本標準時の時差情報（＋９時間）を読み出してタイムゾーンデータ６５０に記憶する。このため、時計表示用時刻データ６４０は、ＵＴＣである内部時刻データ６３０にタイムゾーンデータを加算した時刻となる。
【００６３】
［うるう秒受信制御部］
うるう秒受信制御部４１４は、後述するようにうるう秒情報の受信制御を行う。
【００６４】
［時刻修正手段］
時刻修正手段４２は、受信制御手段４１によって時刻情報を取得して受信時刻データ６１０が更新された場合に、時計表示用時刻データ６４０に基づいて指針２１，２２，２３を移動し、時刻表示を更新する。
【００６５】
［航法メッセージ（ＧＰＳ衛星）］
ここで、前記各取得情報が含まれるＧＰＳ衛星１００から送信される衛星信号の航法メッセージについて、説明する。なお、航法メッセージは、５０ｂｐｓのデータとして衛星の電波に変調されている。
図５（Ａ）〜図５（Ｃ）は、航法メッセージの構成について説明するための図である。
図５（Ａ）に示すように、航法メッセージは、全ビット数１５００ビットのメインフレームを１単位とするデータとして構成される。メインフレームは、それぞれ３００ビットの５つのサブフレーム１〜５に分割されている。１つのサブフレームのデータは、各ＧＰＳ衛星１００から６秒で送信される。したがって、１つのメインフレームのデータは、各ＧＰＳ衛星１００から３０秒で送信される。
【００６６】
サブフレーム１には、週番号データ（ＷＮ：week number）や衛星補正データが含まれている。
週番号データは、現在のＧＰＳ時刻情報が含まれる週を表す情報であり、１週間単位で更新される。
サブフレーム２、３には、エフェメリスパラメーター（各ＧＰＳ衛星１００の詳細な軌道情報）が含まれる。また、サブフレーム４、５には、アルマナックパラメーター（全ＧＰＳ衛星１００の概略軌道情報）が含まれている。
【００６７】
さらに、サブフレーム１〜５には、先頭から、３０ビットのＴＬＭ（Telemetry word）データが格納されたＴＬＭ（Telemetry）ワードと３０ビットのＨＯＷ（hand over word）データが格納されたＨＯＷワードが含まれている。
【００６８】
したがって、ＴＬＭワードやＨＯＷワードは、ＧＰＳ衛星１００から６秒間隔で送信されるのに対し、週番号データや衛星補正データ、エフェメリスパラメーター、アルマナックパラメーターは３０秒間隔で送信される。
【００６９】
図５（Ｂ）に示すように、ＴＬＭワードには、プリアンブルデータ、ＴＬＭメッセージ、Reservedビット、パリティデータが含まれている。
【００７０】
図５（Ｃ）に示すように、ＨＯＷワードには、ＴＯＷ（Time of Week、「Ｚカウント」ともいう）というＧＰＳ時刻情報が含まれている。Ｚカウントデータは毎週日曜日の０時からの経過時間が秒で表示され、翌週の日曜日の０時に０に戻るようになっている。つまり、Ｚカウントデータは、週の初めから一週間毎に示される秒単位の情報である。このＺカウントデータは、次のサブフレームデータの先頭ビットが送信されるＧＰＳ時刻情報を示す。
【００７１】
したがって、電子時計１は、サブフレーム１に含まれる週番号データとサブフレーム１〜５に含まれるＨＯＷワード（Ｚカウントデータ）を取得することで、日付情報および時刻情報を取得することができる。ただし、電子時計１は、以前に週番号データを取得し、週番号データを取得した時期からの経過時間を内部でカウントしている場合は、週番号データを取得しなくてもＧＰＳ衛星１００の現在の過番号データを得ることができる。
したがって、電子時計１は、リセット後や電源投入時のように、内部に週番号データ（日付情報）を記憶していない場合のみ、サブフレーム１の週番号データを取得すれば良い。そして、週番号データを記憶している場合は、電子時計１は、６秒毎に送信されるＴＯＷを取得すれば、現在時刻が分かる。このため、電子時計１は、通常、時刻情報としてＴＯＷのみを取得する。
【００７２】
［うるう秒情報］
うるう秒情報は、前述のとおり、サブフレーム４、ページ１８に含まれる「現在のうるう秒」の情報を取得して記憶する。また、サブフレーム４、ページ１８には、「うるう秒の更新週、更新日、更新後のうるう秒」の情報も含まれ、うるう秒の更新が行われる場合にはそのタイミングを予告している。うるう秒が更新される場合、通常は、１２月か６月の末日に実行される。このため、電子時計１は、１２月末および６月末の一定期間前に、うるう秒情報の取得処理を行ってサブフレーム４、ページ１８を受信すれば、うるう秒の更新の有無および更新が有る場合のうるう秒の補正値を取得できる。
【００７３】
［受信処理］
次に、電子時計１の受信処理について、図６〜８のフローチャートも参照して説明する。
図６は、手動受信時の処理手順を示すフローチャートであり、指針２１，２２，２３により通常時刻表示がされている状態（通常時刻表示モード）で、ボタン７３が押された場合に実行される。
【００７４】
ボタン７３が押されると、受信制御手段４１は、手動受信操作があったか否かを判定する（Ｓ１）。
受信制御手段４１は、ユーザーによりボタン７３が第１設定時間（３秒以上、６秒未満）または第２設定時間（６秒以上、１０秒未満）押された場合、ステップＳ１で「Ｙｅｓ」と判定する。
一方、受信制御手段４１は、ボタン７３が第１設定時間未満（３秒未満）押された場合、つまり受信結果の表示モードの場合は、ステップＳ１で「Ｎｏ」と判定する。そして、この場合、手動受信処理が指示されていないため、図６の手動受信処理は終了し、例えば受信結果表示処理を実行する。
【００７５】
受信制御手段４１は、ユーザーによりボタン７３が第１設定時間（３秒以上、６秒未満）押された場合には、測時モードであると判定する。すなわち、ボタン７３が３秒押されると、指針（秒針）２１が０秒位置に移動し、インジケーター針２４が図１０に示すように「１」を指示する。このため、ユーザーは測時モード受信処理が選択されたことを認識でき、このタイミングでボタン７３を離すと、測時モードの選択が確定する。このため、受信制御手段４１は、ステップＳ２でＮｏと判定し、測時モード受信部４１２を作動して測時モード受信処理を実行する（Ｓ１０）。
【００７６】
また、受信制御手段４１は、ユーザーによりボタン７３が第２設定時間（６秒以上）押された場合には、測位モードであると判定する。すなわち、ボタン７３が６秒押されると、指針（秒針）２１が３０秒位置に移動し、インジケーター針２４が図１１に示すように「４＋」を指示する。このため、ユーザーは測位モード受信処理が選択されたことを認識でき、このタイミングでボタン７３を離すと、測位モードの選択が確定する。このため、受信制御手段４１は、ステップＳ２でＹｅｓと判定し、測位モード受信部４１３を作動して測位モード受信処理を実行する（Ｓ３０）。
【００７７】
［測時モードの受信処理］
次に、ステップＳ１０の測時モード受信処理について、図７を参照して説明する。
受信制御手段４１の測時モード受信部４１２は、図７に示すように、測時モードの受信を開始する（Ｓ１１）。すなわち、測時モード受信部４１２は、受信装置１２２を作動してＧＰＳ衛星１００を捕捉するためにサーチを行い、少なくとも１つのＧＰＳ衛星１００を捕捉する。そして、測時モード受信部４１２は、ＧＰＳ衛星１００を捕捉すると、受信装置１２２で衛星信号の受信を開始し、時刻情報を取得する。
【００７８】
次に、測時モード受信部４１２は、設定時間内（例えば３０秒以内）に衛星信号の受信に成功したかを判定する（Ｓ１２）。ステップＳ１２でＮｏと判定された場合、測時モード受信部４１２は受信処理を終了する（Ｓ１６）。前述したように、ＧＰＳ時刻情報（ＴＯＷ）は６秒毎に送信されるため、設定時間（３０秒）以上受信し続けても受信に成功する可能性が低い為、設定時間を設けて、設定時間を超えた場合は、受信処理を終了する。
【００７９】
一方、測時モード受信部４１２は、衛星信号を受信して時刻情報を取得できた場合で、さらに、内部時刻と比較することなどで取得した時刻情報が正しいと判定した場合に受信成功と判定する（ステップＳ１２でＹｅｓ）。
【００８０】
測時モード受信部４１２は、取得した時刻情報に基づいて、受信時刻データ６１０を更新する。すると、内部時刻データ６３０に記憶される内部時刻情報が、受信時刻データ６１０に記憶されたＧＰＳ時刻で更新される（Ｓ１３）。この際、「現在のうるう秒」を既に受信済みであり、うるう秒更新データ６２０に記憶されている場合には、「現在のうるう秒」も用いて内部時刻情報を更新する（Ｓ１３）。
【００８１】
次に、測時モード受信部４１２は、以前の受信処理において、うるう秒情報を既に受信済みであったか否かを判定する（Ｓ１４）。
測時モード受信部４１２は、以下のうるう秒受信条件に該当する場合は、うるう秒情報を新たに受信する必要があると判定して、Ｓ１４で「Ｎｏ」と判定する。
すなわち、測時モード受信部４１２がＳ１４で「Ｎｏ」と判定するのは、システムリセット直後などでうるう秒更新データ６２０にうるう秒情報が記憶されていない場合と、内部時刻データ６３０に記憶された内部時刻情報による月日がうるう秒受信期間であり、かつ、その期間でのうるう秒情報の受信に成功していない場合である。
本実施形態では、うるう秒受信期間は、半年毎に設定される。すなわち、現在、うるう秒の更新は、最短でも半年毎であり、近年は１年〜数年に一回程度である。また、具体的なうるう秒更新タイミングの第１優先日は、１２月、６月の末日である。さらに、うるう秒情報には、次回のうるう秒更新日や更新後のうるう秒の情報も含まれている。
このため、半年毎（具体的には６月、１２月）にうるう秒情報を受信すれば、次の半年にうるう秒の更新予定があるか否かも判断できる。
従って、測時モード受信部４１２は、内部時刻データ６３０に記憶された内部時刻情報の月日が６月１日〜３０日、１２月１日〜３１日であり、かつ、その期間でのうるう秒情報の受信に成功していない場合に、うるう秒情報は未受信であると判断して、ステップＳ１４で「Ｎｏ」と判定する。なお、うるう秒受信期間は、うるう秒更新日以前の半年間であればよいため、６月と１２月に限らず、７月と１月や、８月と２月など、半年毎に設定すればよい。
【００８２】
測時モード受信部４１２は、ステップＳ１４で「Ｙｅｓ」と判定すると、指針２１，２２，２３の表示を更新する（Ｓ１５）。すなわち、Ｓ１３で受信時刻データ６１０、内部時刻データ６３０が更新されているので、前記内部時刻データ６３０の内部時刻情報に、タイムゾーンデータ６５０のタイムゾーンデータ（時差情報）を加味した時刻データが記憶される時計表示用時刻データ６４０が更新される。すると、時刻修正手段４２は、駆動機構１４０を制御して指針２１，２２，２３を移動し、表示されている時刻を更新し（Ｓ１５）、測時モード受信処理Ｓ１０を終了する（Ｓ１６）。
【００８３】
一方、測時モード受信部４１２は、ステップＳ１４で「Ｎｏ」と判定すると、ステップＳ１１で開始した今回の受信処理で、サブフレーム４、ページ１８つまりうるう秒情報が送信されるフレームを受信したかを判定する（Ｓ１７）。
【００８４】
測時モード受信部４１２は、ステップＳ１７でＮｏと判定すると、うるう秒受信制御部４１４を作動してうるう秒受信制御を実行する。
うるう秒受信制御部４１４は、まず、うるう秒情報の受信タイミングになったかを判定する（Ｓ１８）。受信タイミングとは、前記うるう秒の情報を含むサブフレーム４、ページ１８のデータが送られてくるタイミングである。このタイミングは次のようにして判断できる。すなわち、ＧＰＳ時刻は１週間単位で管理されており、Ｚカウントは週の初め（日曜日の午前０時０分０秒）からの経過時間を表している。また、週の開始時からサブフレーム１から５が順番に繰り返し送信され、サブフレーム４，５はページ１から２５までが順番に送信される。従って、サブフレーム４、ページ１８のデータは、週の開始時から８９番目のサブフレームであり、その時点の時刻は図９に示すように特定される。それ以降のサブフレーム４、ページ１８の送信タイミングも週の初めからの時間で特定できる。従って、受信時刻データ６１０であるＧＰＳ時刻が図９の送信タイミングになる時点で受信処理を行えば、うるう秒の情報を受信できる。なお、受信処理開始時から衛星をサーチして捕捉するまでの時間等を考慮すると、前記送信タイミングの２０秒程度前に受信処理を開始することが好ましい。
したがって、うるう秒受信制御部４１４は、ステップＳ１１で受信装置１２２を作動して衛星信号を受信した際に、その衛星信号のサブフレームやページを確認することで、次にうるう秒情報が送信されるタイミングを把握することができる。
【００８５】
ステップＳ１８でＹｅｓと判定されると、うるう秒受信制御部４１４は、うるう秒情報の受信を開始する（Ｓ１９）。
うるう秒受信制御部４１４は、設定時間内（例えば３０秒以内）に、サブフレーム４、ページ１８つまりうるう秒情報が送信されるフレーム衛星信号の受信に成功したかを判定する（Ｓ２０）。
そして、ステップＳ２０でＹｅｓと判定された場合と、前記ステップＳ１７でＹｅｓと判定された場合は、受信制御手段４１は取得した「現在のうるう秒情報」で内部時刻修正を行う（Ｓ２１）。すなわち、うるう秒更新データ６２０に取得した「現在のうるう秒情報」を記憶する。すると、内部時刻データ６３０が新しいうるう秒情報で更新されて修正される。
次に、受信制御手段４１は、内部時刻データ６３０とタイムゾーンデータ６５０とを用いて時計表示用時刻データ６４０を更新し、時刻修正手段４２は指針２１，２２，２３による時刻表示を更新する（Ｓ１５）。
【００８６】
一方、ステップＳ２０でＮｏと判定された場合は、うるう秒情報を取得できていないので、受信制御手段４１は、うるう秒更新データ６２０は更新せずに、Ｓ１３で修正した内部時刻データ６３０とタイムゾーンデータ６５０とを用いて時計表示用時刻データ６４０を更新し、時刻修正手段４２は指針２１，２２，２３による時刻表示を更新する（Ｓ１５）。
【００８７】
そして、ステップＳ１５の指針２１，２２，２３による時刻表示の更新が行われると、測時モード受信処理Ｓ１０の処理が終了する（Ｓ１６）。
【００８８】
［測位モード受信処理］
次に、ステップＳ３０の測位モード受信処理について、図８を参照して説明する。
受信制御手段４１の測位モード受信部４１３は、図８に示すように、測位モードの受信を開始する（Ｓ３１）。すなわち、測位モード受信部４１３は、受信装置１２２を作動してＧＰＳ衛星１００を捕捉するためにサーチを行い、少なくとも３つのＧＰＳ衛星１００を捕捉する。そして、測位モード受信部４１３は、ＧＰＳ衛星１００を捕捉すると、受信装置１２２で衛星信号の受信を開始する。
【００８９】
次に、測位モード受信部４１３は、設定時間内（例えば２分以内）に衛星信号の受信に成功したかを判定する（Ｓ３２）。すなわち、測位モード受信部４１３は、設定時間内に３つ以上の衛星信号を受信し、受信した衛星信号から位置情報を算出できた場合に、ステップＳ３２でＹｅｓと判定する。
【００９０】
測位モード受信部４１３は、衛星信号の受信に成功した場合、時刻情報も取得できるため、取得した時刻情報に基づいて、受信時刻データ６１０を更新する。すると、内部時刻データ６３０に記憶される内部時刻情報が、受信時刻データ６１０に記憶されたＧＰＳ時刻で更新される（Ｓ３３）。この際、「現在のうるう秒」を既に受信済みであり、うるう秒更新データ６２０に記憶されている場合には、「現在のうるう秒」も用いて内部時刻情報を更新する（Ｓ３３）。
【００９１】
次に、測位モード受信部４１３は、測時モード受信処理Ｓ１０と同様に、以前の受信処理において、うるう秒情報を既に受信済みであったか否かを判定する（Ｓ３４）。
一方、測位モード受信部４１３は、ステップＳ３４で「Ｎｏ」と判定すると、ステップＳ３１で開始した今回の受信処理で、サブフレーム４、ページ１８つまりうるう秒情報が送信されるフレームを受信したかを判定する（Ｓ３５）。
【００９２】
測位モード受信部４１３は、ステップＳ３５でＹｅｓと判定すると、取得した「現在のうるう秒情報」で内部時刻修正を行う（Ｓ３６）。
また、ステップＳ３５でＮｏと判定された場合は、位置情報を取得できたが、うるう秒情報は取得できていないので、測位モード受信部４１３はうるう秒更新データ６２０を更新しない。
【００９３】
次に、測位モード受信部４１３は、Ｓ３２で取得できた位置情報に基づいて、タイムゾーンデータ記憶部６８０に記憶されたデータによりタイムゾーンを判定する。そして、判定されたタイムゾーンでタイムゾーンデータ６５０を修正する（Ｓ３７）。
そして、測位モード受信部４１３は、修正したタイムゾーンデータ６５０と、受信した時刻情報で更新された内部時刻データ６３０とを用いて時計表示用時刻データ６４０を更新し、時刻修正手段４２は指針２１，２２，２３による時刻表示を更新する（Ｓ３８）。
【００９４】
また、ステップＳ３４で「Ｙｅｓ」と判定された場合、測位モード受信部４１３は、ステップＳ３３の内部時刻修正時に既にうるう秒更新データ６２０に記憶されている現在のうるう秒情報で内部時刻データ６３０が更新されているので、ステップＳ３５，Ｓ３６は実行せずに、ステップＳ３８のタイムゾーン修正、Ｓ３８の表示更新処理を行い、測位モード受信処理Ｓ３０を終了する。
【００９５】
ステップＳ３８の指針２１，２２，２３による時刻表示の更新が行われると、測位モード受信処理Ｓ３０の処理が終了する（Ｓ３９）。
また、ステップＳ３２で「Ｎｏ」と判定された場合は、位置情報を取得できていないので、測位モード受信部４１３は、ステップＳ３３〜Ｓ３８を実行せずに、測位モード受信処理Ｓ３０の処理を終了する（Ｓ３９）。
【００９６】
［インジケーター針の指示］
次に、受信処理中のインジケーター針２４の表示について説明する。
インジケーター針２４は、測時モード受信処理Ｓ１０が実行されると、図１０に示すように、目盛１１２の「１」を指示し、測位モード受信処理Ｓ３０が実行されると、図１１に示すように、目盛１１２の「４＋」を指示する。また、測時モード受信処理Ｓ１０のＳ１８でうるう秒情報の受信タイミングまで待機している間と、Ｓ１９でうるう秒情報受信中は、図１２に示すように、インジケーター針２４は目盛１１２の端部、具体的には「４＋」の横の位置を指示する。
このインジケーター針２４の指示によって、ユーザーは測時、測位、うるう秒のいずれの受信処理を実行しているのかを把握できる。したがって、インジケーター針２４および目盛１１２によって、受信状態を表示する受信状態表示手段が構成されている。
【００９７】
［受信結果の指示］
受信制御手段４１は、各受信処理の結果を、指針（秒針）２１をＹ位置（１２秒位置）、Ｎ位置（１８秒位置）のいずれかに移動して指示する。
すなわち、各受信処理で受信に成功したと判定した場合は、指針２１をＹ位置（１２秒位置）に移動する。したがって、図１０は、測時モードで受信に成功した例であり、図１２はうるう秒情報の受信に成功した例である。
一方、各受信処理で受信に失敗したと判定した場合は、指針２１をＮ位置（１８秒位置）に移動する。したがって、図１１は、測位モードで受信に失敗した例である。
【００９８】
この受信結果の表示は、一定時間、例えば５秒間継続する。その後は、受信に成功している場合は、取得した時刻情報などを用いて各指針２１，２２，２３で指示する時刻表示を更新する。一方、受信に失敗した場合は、受信時刻データ６１０、内部時刻データ６３０、時計表示用時刻データ６４０が更新されないので、各指針２１，２２，２３で指示する時刻表示を更新せずに、計時装置５０で計時される元の時刻表示に戻す。
これにより、ユーザーは、インジケーター針２４と指針２１の指示を確認することで、受信処理のモードと、受信に成功したか失敗したかを確認できる。
また、ユーザーがボタン７３を３秒未満押して離した場合は、前回の受信結果をインジケーター針２４および指針２１を用いて表示する。
【００９９】
［第１実施形態の作用効果］
上述した本発明の第１実施形態における電子時計１（衛星信号受信装置）によれば、以下の効果を奏する。
すなわち、うるう秒情報の受信処理は、測時モード受信処理Ｓ１０のみで実行され、測位モード受信処理Ｓ３０では実行されない。このため、タイムゾーンの異なる場所に移動して測位モード受信処理Ｓ３０を行った場合は、うるう秒情報の受信待機状態となることがなく、位置情報を取得できれば現地時刻を即座に表示できる。このため、ユーザーの利便性を向上できる。
【０１００】
また、測時モード受信部４１２による測時モード受信処理Ｓ１０を実行した際に、うるう秒受信条件に該当した場合には、うるう秒受信制御部４１４が作動されてうるう秒情報の受信制御が自動的に実行される。このため、ユーザーがうるう秒情報の受信を指示する必要が無く、利便性を向上できる。また、うるう秒情報を受信することで、うるう秒情報を反映した正確な時刻を表示できる。
【０１０１】
インジケーター針２４によって、うるう秒情報を受信中であることを表示しているので、ユーザーは受信状態を容易に把握できる。このため、電子時計１をうるう秒情報の受信に適した環境に配置することができ、うるう秒情報の取得に成功する確率を向上できる。
【０１０２】
本実施形態では、うるう秒受信制御部４１４によるうるう秒情報の受信処理が行われている間に、ボタン７２の操作で受信処理の中断が指示されても、その割り込み処理を受け付けることなく、うるう秒情報の受信処理を継続している。このため、ユーザーが誤って中断指示を行った場合でも、受信処理を継続でき、うるう秒情報を確実に受信できる。
【０１０３】
うるう秒受信制御部４１４でうるう秒情報を取得すると、ステップＳ２１で内部時刻を修正しているので、指針２１，２２，２３による時刻表示の精度を高めることができる。
【０１０４】
［第２実施形態］
次に、本発明の第２実施形態について、図面に基づいて説明する。
図１３は、本発明の第２実施形態に係る電子時計の測時モード受信処理Ｓ１０Ａの手順を示すフローチャートである。
第２実施形態の電子時計は、測時モード受信処理Ｓ１０Ａのうるう秒情報受信待機中の処理が第１実施形態と異なる。測時モード受信処理Ｓ１０Ａにおけるうるう秒情報受信待機中以外の処理と、測位モード受信処理は前記第１実施形態と同じであるため、同番号を付し、説明を省略する。したがって、第１実施形態と異なる点についてのみ詳しく説明する。
【０１０５】
［測時モード受信処理］
第２実施形態の測時モード受信処理Ｓ１０Ａにおいて、図１３に示すステップＳ１１〜Ｓ２１の処理内容は、前記第１実施形態の測時モード受信処理Ｓ１０と同一であるため、説明を省略する。
そして、測時モード受信処理Ｓ１０Ａでは、ステップＳ１７で「Ｎｏ」と判定された場合、ステップＳ２２で指針２１，２２，２３の表示を更新する（Ｓ２２）。このステップＳ２２での表示更新では、現在のうるう秒情報は未受信であるため、うるう秒が補正されていない時刻に表示される。
【０１０６】
次に、うるう秒受信制御部４１４は、ステップＳ１８のうるう秒情報の受信タイミングになるまでの待機状態において、受信タイミングになるまでの残り時間をカウントダウン表示する（Ｓ２３）。
具体的には、残り時間が１８分前の場合に指針２１を４２秒位置に移動し、１７分前の場合は４３秒位置に移動する。以降、１７分前は４４秒位置、１６分前は４３秒位置、…、３分前は５７秒位置、２分前は５８秒位置、１分前は５９秒位置となるように移動する。すなわち、０秒位置が残り時間０分となるように設定し、残り時間が１分ずつ減少する毎に、指針２１を１秒ずつ進めている。したがって、インジケーター針２４および指針２１により、うるう秒待機状態表示手段が構成されている。
【０１０７】
ステップＳ１８でうるう秒情報の受信タイミングになると、うるう秒受信制御部４１４は、カウントダウン表示（Ｓ２３）を終了して、うるう秒情報の受信を開始する（Ｓ１９）。
ステップＳ２０で、設定時間内にうるう秒情報が含まれているサブフレーム４、ページ１８を受信したと判定した場合（Ｓ２０でＹｅｓ）、受信制御手段４１は第１実施形態と同じく、ステップＳ２１，Ｓ１５の処理を行う。
一方、ステップＳ２０で「Ｎｏ」と判定した場合は、ステップＳ２２で表示更新処理を行っているため、受信制御手段４１はステップＳ１５の処理を行わずに終了する（Ｓ１６）。
【０１０８】
［第２実施形態の作用効果］
本実施形態では、上記第１実施形態の効果を奏する上、以下の効果がある。
本実施形態では、測時モード受信処理Ｓ１０ＡのステップＳ１７でＮｏと判定された場合に、指針２１，２２，２３による表示更新（Ｓ２２）を行ってから、うるう秒情報の受信待機状態に移行している。このため、うるう秒情報の受信タイミングまで待機している間も、現在時刻を表示することができるので、ユーザーは現在時刻を早期に確認できて利便性を向上できる。なお、この時点で表示される現在時刻には、うるう秒が補正されていないため、うるう秒分の誤差が生じるが、その誤差は十数秒程度であり、実用上は問題無く利用できる。
【０１０９】
また、うるう秒情報の受信タイミングまでの残り時間をカウントダウン表示（Ｓ２３）で表示しているので、ユーザーはうるう秒情報の受信が開始される時間を把握できる。このため、ユーザーはうるう秒情報の受信タイミングに合わせて、屋外で空が開けている衛星信号を受信しやすい場所に移動することもでき、うるう秒情報の受信に成功する確率を向上できる。また、うるう秒情報の受信タイミングを把握できるため、その受信タイミングになるまで衛星信号を受信しやすい状態に電子時計１を維持する必要がなく、ユーザーの利便性を向上できる。
【０１１０】
［第３実施形態］
次に、本発明の第３実施形態に係る電子時計について、図面に基づいて説明する。
図１４は、本発明の第３実施形態に係る電子時計の手動受信処理手順を示すフローチャートである。
図１４において、ステップＳ１，Ｓ２，Ｓ１０，Ｓ３０の処理は、前記第１実施形態と同じであるため、説明を省略する。
第３実施形態では、ステップＳ２で「Ｎｏ」と判定された場合に、うるう秒情報の取得モードであるかを判定している（Ｓ３）。
【０１１１】
すなわち、第３実施形態では、ユーザーがボタン７３を第１設定時間（例えば３秒以上、６秒未満）押して離すと、ステップＳ３でＮｏと判定されて測時モードでの手動受信処理（強制受信処理）が実行される（Ｓ１０）。受信処理中、インジケーター針２４は、測時モードを示す「１」を指示する。
また、ボタン７３を第１設定時間よりも長い第２設定時間（例えば６秒以上、１０秒未満）押して離すと、ステップＳ２でＹｅｓと判定されて測位モードでの手動受信処理（強制受信処理）が実行される（Ｓ３０）。受信処理中、インジケーター針２４は、測位モードを示す「４＋」を指示する。
さらに、ボタン７３を第２設定時間よりも長い第３設定時間（例えば１０秒以上）押して離すと、ステップＳ３でＹｅｓと判定されて、うるう秒受信制御部４１４によるうるう秒情報の手動受信処理（強制受信処理）が実行される（Ｓ４０）。うるう秒情報の受信処理中、インジケーター針２４は、第１実施形態の図１２と同じく、目盛１１２の隅を指示する。
【０１１２】
［うるう秒情報受信処理］
次に、うるう秒情報受信処理Ｓ４０を図１５に基づいて説明する。
うるう秒情報受信処理Ｓ４０は、図７に示す第１実施形態の測時モード受信処理Ｓ１０に対し、うるう秒情報が既に受信済みであったかを判定する処理（Ｓ１４）を行わない点が相違し、他の処理は同じである。
すなわち、受信制御手段４１は、うるう秒情報受信処理Ｓ４０を開始すると、測時モード受信部４１２を作動して測時モードの受信を開始する（Ｓ４１）。そして、設定時間（例えば３０秒）内に受信に成功したか否かを判定する（Ｓ４２）。Ｓ４２で受信に失敗した場合は、電子時計１が屋内や地下街などの衛星信号を受信できない場所に配置されていることが予想される。このため、うるう秒情報の受信処理を行っても失敗する可能性が高いため、受信制御手段４１はうるう秒情報受信処理Ｓ４０を終了する（Ｓ５０）。
【０１１３】
一方、受信制御手段４１は、Ｓ４２でＹｅｓと判定した場合、内部時刻を修正し（Ｓ４３）、今回の測時モードの受信によりサブフレーム４、ページ１８を受信したかを判定する（Ｓ４４）。測時モード受信処理Ｓ１０では、ステップＳ１４でうるう秒情報が既に受信済みであったかを判定していたが、うるう秒情報受信処理Ｓ４０ではユーザーがうるう秒情報を受信する操作を行ったことを重視し、仮にうるう秒情報が既に受信済みであっても再度うるう秒情報の受信処理を行うのである。
【０１１４】
受信制御手段４１は、ステップＳ４４でＮｏと判定した場合、うるう秒受信制御部４１４を作動してうるう秒の受信タイミングになるまで待機する（Ｓ４５）。Ｓ４５でＹｅｓと判定すると、うるう秒受信制御部４１４は、うるう秒情報の受信を開始する（Ｓ４６）。そして、うるう秒受信制御部４１４は、設定時間（例えば３０秒）内にサブフレーム４、ページ１８を受信したかを判定する（Ｓ４７）。
ステップＳ４４，Ｓ４７でＹｅｓと判定した場合、受信制御手段４１は、取得した「現在のうるう秒情報」で内部時刻を修正し（Ｓ４８）、時刻修正手段４２は指針２１，２２，２３による時刻表示を更新する（Ｓ４９）。
一方、ステップＳ４７でＮｏと判定した場合、受信制御手段４１は、うるう秒情報を取得できなかったのでうるう秒情報で内部時刻を修正せず、時刻修正手段４２は指針２１，２２，２３による時刻表示を更新する（Ｓ４９）。
ステップＳ４９の処理が終了した後、うるう秒情報受信処理Ｓ４０を終了する（Ｓ５０）。
なお、本実施形態においても、前記第２実施形態と同様に、ステップＳ４５のうるう秒情報の受信待機時に、指針２１，２２，２３による表示を更新したり、うるう秒情報の受信タイミングまでの残り時間をカウントダウン表示してもよい。
【０１１５】
［第３実施形態の作用効果］
本実施形態では、上記実施形態の効果を奏する上、以下の効果がある。
本実施形態では、ユーザーの手動操作によって、うるう秒情報受信処理Ｓ４０を実行するようにしたため、ユーザーが希望するタイミングでうるう秒情報を受信できる。このため、うるう秒情報の取得に成功する確率を向上できる。すなわち、測時モード受信処理Ｓ１０でうるう秒情報を受信する場合には、必ずしもうるう秒情報の受信に適した環境にない場合もあり、うるう秒情報の取得に失敗する場合もある。これに対し、本実施形態では、ユーザーの意思でうるう秒情報を受信するため、うるう秒情報の取得の成功率を向上できる。
【０１１６】
［変形例］
なお、本発明は前述の実施形態に限定されるものではなく、本発明の目的を達成できる範囲での変形、改良等は本発明に含まれるものである。
【０１１７】
前記各実施形態において、測時モード受信処理Ｓ１０、Ｓ１０Ａ、測位モード受信処理Ｓ３０、うるう秒情報受信処理Ｓ４０の各受信処理中に、ボタン７２が押されて受信処理の中断が指示された場合に、各受信処理を中断するようにしてもよい。前記第１実施形態では、うるう秒情報の受信処理中（うるう秒情報の受信待機中および受信中）にボタン７２が押されても受信処理を中断しなかった。これに対し、うるう秒情報などの受信処理中にボタン７２が押された場合に受信処理を中断すれば、ユーザーの意図に応じた制御を行うことができ、操作性を向上できる。
【０１１８】
また、測時モード受信処理Ｓ１０、Ｓ１０Ａや測位モード受信処理Ｓ３０において、衛星信号の受信中に、うるう秒情報を含むサブフレーム４、ページ１８の送信タイミングであった時に、うるう秒情報を受信した場合は、うるう秒情報で更新が必要であるかを判定し、取得したうるう秒情報で計時手段の時刻を更新してもよい。
例えば、図１６に示す変形例の測位モード受信処理Ｓ３０Ａでは、測位モード受信部４１３は、ステップＳ３３の後にサブフレーム４、ページ１８を受信したかの判定処理Ｓ３５を実行する。そして、測位モード受信部４１３は、Ｓ３５で「Ｙｅｓ」と判定された場合、取得した「現在のうるう秒情報」で更新が必要か判定する（Ｓ６０）。Ｓ６０では、取得したうるう秒情報と、うるう秒更新データ６２０に記憶されている情報とを比較し、同じ値であれば「Ｎｏ」と判定し、異なる値であれば「Ｙｅｓ」と判定する。
これにより、うるう秒情報を受信した場合にうるう秒情報を更新でき、別途、うるう秒受信制御部４１４によるうるう秒情報受信処理を行わずに、正確な時刻に更新できる。
【０１１９】
位置情報衛星の例として、ＧＰＳ衛星１００について説明したが、これに限られない。例えば、位置情報衛星としては、ガリレオ（ＥＵ）、ＧＬＯＮＡＳＳ（ロシア）、Ｂｅｉｄｏｕ（中国）などの他の全地球的公航法衛星システム（ＧＮＳＳ）で利用される衛星が適用できる。また、静止衛星型衛星航法補強システム（ＳＢＡＳ）などの静止衛星や、準天頂衛星等の特定の地域のみで検索できる衛星も適用できる。
【符号の説明】
【０１２０】
１…電子時計、２４…インジケーター針、１１２…目盛、４１…受信制御手段、４２…時刻修正手段、５０…計時装置、６０…記憶装置、７０…入力装置、１００…ＧＰＳ衛星、１２２…受信装置（受信手段）、４１１…受信モード設定部、４１２…測時モード受信部、４１３…測位モード受信部、４１４…うるう秒受信制御部。
【図１】
2015169575.tif 000003
【図２】
2015169575.tif 000004
【図３】
2015169575.tif 000005
【図４】
2015169575.tif 000006
【図５】
2015169575.tif 000007
【図６】
2015169575.tif 000008
【図７】
2015169575.tif 000009
【図８】
2015169575.tif 000010
【図９】
2015169575.tif 000011
【図１０】
2015169575.tif 000012
【図１１】
2015169575.tif 000013
【図１２】
2015169575.tif 000014
【図１３】
2015169575.tif 000015
【図１４】
2015169575.tif 000016
【図１５】
2015169575.tif 000017
【図１６】
2015169575.tif 000018